(57)【要約】計算した量のＰＨＭＢが包帯に施されたセルロース系包帯にて傷口に接触することにより開放性傷口を覆う方法である。セルロース系包帯の作成は、有孔ドラム１４に少なくとも１つの巻きセルロース系材料ビーム１２を提供し、材料ビームを包み囲まれた容器１０内に挿入し、ＰＨＭＢを容器内に添加し、所定の時間、ＰＨＭＢを循環させることにより、行うことができる。
2004502707.tif 000002
【特許請求の範囲】
【請求項１】
開放性傷口を覆う方法において、包帯に施された抗菌効果可能な量のＰＨＭＢを有するセルロース系包帯にて傷口に接触するステップを備える、開放性傷口を覆う方法。
【請求項２】
請求項１の方法において、中間層を必要とせずに開放性傷口にセルロース系包帯にて直接接触するステップを更に備える、方法。
【請求項３】
請求項１の方法において、包帯に施された抗菌効果可能な量のＰＨＭＢが１５００乃至２５００ｐｐｍの範囲にある、方法。
【請求項４】
請求項１の方法において、セルロース系包帯が５０％乃至１００％セルロース系である、方法。
【請求項５】
請求項１の方法において、セルロース系包帯が独立的保護帯である、方法。
【請求項６】
請求項１の方法において、セルロース系包帯がスポンジである、方法。
【請求項７】
請求項１の方法において、セルロース系包帯が巻軸包帯である、方法。
【請求項８】
抗菌性を有する傷口保護帯を製造する方法において、
Ａ）セルロース系材料の少なくとも１つの巻いたビームを提供するステップと、
Ｂ）材料ビームを包み囲まれた容器内に挿入するステップと、
Ｃ）ＰＨＭＢを容器内に追加するステップと、
Ｄ）ＰＨＭＢを所定の時間、循環させるステップとを備える、抗菌性を有する傷口保護帯を製造する方法。
【請求項９】
請求項８の方法において、少なくとも１つの材料ビームが有孔ドラムに巻かれ、ＰＨＭＢが有孔ドラムを通じて容器内に添加される、方法。
【請求項１０】
請求項９の方法において、ＰＨＭＢを容器内に添加する前記ステップの前に、材料ビームを漂白するステップを更に備える、方法。
【請求項１１】
請求項１０の方法において、前記漂白するステップが、漂白剤を有孔ドラムを通じて容器内に圧送することにより行われる、方法。
【請求項１２】
請求項１０の方法において、前記漂白するステップの後で且つＰＨＭＢを容器内に添加する前記ステップの前に、材料ビームを化学的にリンスするステップを更に備える、方法。
【請求項１３】
請求項１２の方法において、前記リンスステップの後で且つＰＨＭＢを容器内に添加する前記ステップの前に、包み囲まれた容器に水を充填するステップを更に備える、方法。
【請求項１４】
請求項８の方法において、ＰＨＭＢを添加する前記ステップの間、容器に添加されるＰＨＭＢの量が全体水量の０．１０％乃至０．８０％の範囲にある、方法。
【請求項１５】
請求項８の方法において、前記循環するステップが約１５乃至４５分間、行われる、方法。
【請求項１６】
請求項１５の方法において、前記循環するステップが約３０分間、行われる、方法。
【請求項１７】
請求項１６の方法において、ＰＨＭＢを添加する前記ステップの間、容器に添加されるＰＨＭＢの量が全体水量の約０．６７％である、方法。
【請求項１８】
請求項８の方法において、廃水を工場の廃水システム内に排水するステップを更に備える、方法。
【請求項１９】
請求項８の方法において、
Ａ）材料ビームを包み囲まれた容器から除去するステップと、
Ｂ）更なる加工のため材料を巻き戻すステップとを備える、方法。
【請求項２０】
請求項８の方法において、ＰＨＭＢを循環させる前記ステップが、ＰＨＭＢを有孔ドラムを通じ且つ半径方向外方向に向けることにより行われる、方法。
【請求項２１】
請求項８の方法によって製造された製品。
【請求項２２】
抗菌効果可能な量のＰＨＭＢから基本的に成るセルロース系傷口保護帯。
【請求項２３】
請求項２２のセルロース系傷口保護帯において、セルロース系傷口保護帯に施される抗菌効果可能な量のＰＨＭＢが、１５００乃至２５００ｐｐｍの範囲にある、セルロース系傷口保護帯。
【請求項２４】
請求項２２のセルロース系傷口保護帯において、５０％乃至１００％セルロース系である、セルロース系傷口保護帯。
【請求項２５】
請求項２２のセルロース系傷口保護帯において、独立的保護帯である、セルロース系傷口保護帯。
【請求項２６】
請求項２２のセルロース系傷口保護帯において、スポンジである、セルロース系傷口保護帯。
【請求項２７】
請求項２２のセルロース系傷口保護帯において、巻軸包帯である、セルロース系傷口保護帯。
【発明の詳細な説明】
【０００１】
【発明の背景】
Ａ．発明の分野
本発明は、開放性傷口を覆う方法に関する。本発明は、抗菌処理したセルロース系傷口保護帯を作成する方法及び形成された包帯に更に関する。
Ｂ．関連技術の説明
傷口保護帯は、開放性傷口の治癒を助け且つ保護するため永年に亙って医療界にて使用されている。医療界にて使用されているセルロース系包帯は、典型的に、非漂白で且つ未仕上げの布である織地ガーゼ布で出来ている。この布は、織地を白くするため漂白され且つガーゼ包帯となるようにされている。
【０００２】
理想的には、セルロース系傷口保護帯は、傷口の適正な治癒を助ける特定の性質を有しなければならない。例えば、シャー（Ｓｈａｈ）らに対する米国特許第５，５２７，２７１号には、傷口保護帯用の熱可塑性ヒドロゲルを含浸させた複合材料が開示されている。このヒドロゲルは、治癒過程中、傷口保護帯が傷口に接着するのを防止すべく綿ガーゼ製の傷保護帯に取り付けられる。
【０００３】
同様に、ブラッシングトン（Ｂｒａｓｓｉｎｇｔｏｎ）らに対する米国特許第４，８３８，２５３号には、有孔材料のシートを非架橋結合したシリコーン材料にて被覆し、次に、そのシートを架橋結合させることにより作成されるシリコーンゲル被覆の透過性傷口保護帯が開示されている。この開示された傷口保護帯は、増大した吸収性と、傷口保護帯が傷口の表面に接着するのを防止する性質とを有している。
【０００４】
しかし、より重要なことは、傷口保護帯は、細菌が傷口に入り且つ傷口保護帯を通って転位するのを防止すべく、保護帯と接触したとき、空気中の細菌を死滅させる抗菌性を有することである。従って、抗菌性を有するセルロース系保護帯を加工すべく従来から多数の努力が為されてきた。
【０００５】
例えば、マトソン（Ｍａｔｓｏｎ）に対する米国特許第４，７２８，３２３号には、抗菌性効果のある銀塩フィルムにて被覆した基層から成る抗菌性傷口保護帯が開示されている。この抗菌性保護帯は、特定の銀塩を傷口保護帯の表面に堆積させることにより作成される。しかし、抗菌処理は、別個の装置、すなわちスパッタ被覆装置によって行わなければならないため、傷口保護帯の処理過程は、かなり時間がかかり且つ煩雑である。
【０００６】
欧州特許第０　１３６　９００号及びカナダ国特許第１，２２３，２０８号には、抗菌性を有し且つ外科用ドレープの製造時に有用である不織布地が開示されている。この不織布地は、広範囲に亙るグラム陽性細菌及びグラム陰性細菌に抗する活性を有し、また、血清によって不活性とされない抗菌剤にて処理される。使用される抗菌剤は、ポリヘキサメチレンビグアニド（以下、「ＰＨＭＢ」）である。背景部分に記載したように、ＰＨＭＢは、繊維材料を処理するとき抗菌効果を有するとして説明されている。米国特許第２，３３６，６０５号、米国特許第２，９９０，４２５号、米国特許第４，０２２，８３６号、米国特許第２，８６３，９１９号には、この有用性が開示されている。
【０００７】
更に、ＰＨＭＢは、カータ（Ｃａｒｔｅｒ）らに対する米国特許第４，０１４，６７６号に開示されているように、海草の成長を制御する水処理にて、また、ローズリスバーガ（Ｒｏｔｈｌｉｓｂｅｒｇｅｒ）らに対する米国特許第４，４０５，６４５号に開示されているように、ふけを処理するため使用され、また、オグニビィ（Ｏｇｕｎｂｉｙｉ）らに対する米国特許第４，７５８，５９５号に開示されているように、コンタクトレンズの保存液として使用されている。
【０００８】
より最近では、ＰＨＭＢは、衣類のような織繊維材料に使用されている。例えば、英国特許第２　３００　２００号には、重合系ビグアニドにて処理し、その後、セルロース系基層に対し抗菌性を付与すべく結合防止剤にて処理されたセルロース系基層が開示されている。処理した基層は、接触したとき、基層が黄ばむ傾向を軽減する付随的性質を有している。処理した物は、シャツ、下着、ユニフォーム及び靴下として形成することができ、特に、汚れ且つ微生物の成長が生じ易い物に有用である。ＰＨＭＢを単独で使用する場合、結合防止剤を使用することは、人間に対するＰＨＭＢの通常の反応を防止するのに役立つことを認識することが重要である。ＰＨＭＢが、物を処理するため単独で使用されたならば、充血、圧痛及びじんましんのような、各種の皮膚の異常を生じさせる可能性がある。
【０００９】
国際出願９８／１８３３０号には、接触したとき、微生物を死滅させることができるが、かなりの量の抗菌材料を周囲環境に浸出させない浸出無しの抗菌材料が開示されている。この抗菌材料は、ポリマーであるポリカチオン配位子化合物及び金属材料の錯体から成っている。１つの好ましい実施の形態において、重合系材料はＰＨＭＢであり、架橋結合剤は非メチレンビスジグリシジルアニリン（以下、「ＭＢＤＧＡ」）であり、金属材料は銀塩であり、この場合、銀塩は、被覆部分から微生物に運ばれ且つ微生物を死滅させる有毒なレベルまで蓄積する。開示された抗菌組成物は、木、金属、紙、衣類、ガラス及びセラミックのような、各種型式の基層にて使用することができる。更に、粉体形態の抗菌材料を担体中に分散又は溶解させ、局所的消毒剤、傷口の局所的保護帯又は局所的殺菌剤として使用することができる。しかし、開示された組成物は、表面被覆剤としてのみ基層に追加することができる。このため、開示された組成物は、表面被覆剤として施されるならば、傷口保護帯の全体に亙って細菌の転位から保護することはできないであろう。
【００１０】
フォックス、ジュニア（Ｆｏｘ，Ｊｒ．）らに対する米国特許第５，０１９，０９６号には、医療装置及び表面用の感染抵抗性組成物及びその作成方法並びに使用方法が開示されている。この方法は、重合系成分から成るマトリックス内に作用可能な量の抗菌剤を内蔵することを含み、ここで、マトリックスは、流体と接触したとき、感染を抑制するのに十分な量にて抗菌剤を制御された状態で解放することを可能にするのに効果的である。この抗菌剤は、共動作用に効果的な量の銀塩及びビグアニドを含むものとして開示されている。好ましくは、最終被覆は、重量比で１０乃至７０％の抗菌剤を含むようにする。この組成物は被覆剤としてのみ作用することを意味し、傷口保護帯を通っての微生物の転位は防止しない。
【００１１】
【発明の簡単な概要】
１つの面において、本発明は、包帯に付与された抗菌性のある量のＰＨＭＢを有するセルロース系傷口保護帯により傷口を包むことにより、開放性傷口を覆い且つ該傷口を微生物の汚染から保護する方法を提供するものである。
【００１２】
更なる１つの重要な面において、本発明は、抗菌処理した包帯と開放性傷口との間に中間層を有さずに、包帯に付与された抗菌効果のある量のＰＨＭＢを有するセルロース系傷口保護帯により傷口を直接接触することにより開放性傷口を覆う方法を提供するものである。
【００１３】
更なる面において、本発明は、実質的にＰＨＭＢから成る傷口保護帯を提供するものである。
更なる面において、本発明は、抗菌性を有する傷口保護帯を製造する方法を提供するものである。該方法は、
Ａ）セルロース系材料の少なくとも１つのロール巻きビームを提供することと、
Ｂ）材料ビームを包み囲まれた容器内に挿入することと、
Ｃ）ＰＨＭＢを容器内に追加することと、
Ｄ）ＰＨＭＢを所定の時間、循環させることとを備えている。
【００１４】
更なる面において、本発明は、特許請求の範囲に記載した方法に従って製造された傷口保護帯を提供する。
添付図面を参照しつつ検討したとき、以下の詳細な説明から本発明の更なる特徴及び性質が一層明らかになるであろう。
【００１５】
上述したように、本発明の１つの面は、包帯に付与された計算した量のＰＨＭＢを有するセルロース系包帯にて傷口を覆う方法に関するものである。ＰＨＭＢはその抗菌性があることは既知であるが、傷口の細菌の感染を防止する成分として使用されてはいない。その主たる理由は、ＰＨＭＢが単独で且つその他の基層と組み合わされずに使用されるとき、人間の皮膚に炎症を生じさせる傾向があり、また、開放性傷口の傷付き易い性質に一層強力な作用を与えることがあるからである。
【００１６】
本発明は、ＰＨＭＢは皮膚又は傷口に炎症を生じさせず、しかも傷口保護帯に対し十分に強力な抗菌性を提供するように傷口を覆うべくセルロース系布地に単独で使用することが可能であることを知見した。本発明によるセルロース系傷口保護帯は、抗菌効果可能な量のＰＨＭＢから基本的に成っている。「基本的に成る」という用語は、人間に対するＰＨＭＢの通常の反応を防止すべく従来、使用されていた結合防止剤のような追加的な成分を排除することを意味するものである。更に、ＰＨＭＢは、一次的抗菌剤として機能し、しかも、抗菌処理した包帯と開放性傷口との間に中間層を必要としない。
【００１７】
特に、材料に施される抗菌効果のあるＰＨＭＢの量は、抽出することにより測定したとき、５００乃至３０００ｐｐｍの範囲であることが好ましく、また、１５００乃至２５００ｐｐｍの範囲にあることが最も好ましい。しかし、５００ｐｐｍ以下の量でも依然として効果的であるから、この量はより少なくてよい。抗菌効果可能な量とは、皮膚又は開放性傷口の炎症を生じさせることなく、十分な抗菌効果特徴を提供するのに必要な、傷口保護帯に施されるＰＨＭＢの量として規定される。
【００１８】
ＰＨＭＢの１つの製造メーカは、水中にて２０％のＰＨＭＢの濃縮物として販売される抗菌性仕上げ剤である、コスモシル（ＣＯＳＭＯＣＩＬ）ＣＱ（登録商標名）として既知の製品を販売する、デラウェア州、ウィルミングトンに所在するアベシア・インコーポレーテッド（Ａｖｅｃｉａ，Ｉｎｃ）である。この仕上げ剤は、綿混合体に、また医療装置及び処方箋無しの製品の装飾の用途に特に適用可能である。しかし、ＰＨＭＢのその他の製造メーカ及び色々なフォーミュラが本発明に従って採用可能であることを理解すべきである。
【００１９】
ＰＨＭＢ仕上げ品をセルロース系傷口保護帯に施す色々な方法がある。例えば、ＰＨＭＢを噴霧し又は水浴に添加し且つ乾燥する前にガーゼを供給することによりＰＨＭＢをセルロース系傷口保護帯に施すことができる。しかし、ＰＨＭＢを傷口保護帯に噴霧することにより実現することは困難であるが、ＰＨＭＢを傷口保護帯の全体に亙って均一に施すことは重要である。更に、未仕上げの未漂白生地の布地からセルロース系包帯を製造する通常の過程の一部として傷口保護帯をＰＨＭＢにて処理することを含めることが理想的である。好ましくは、ＰＨＭＢは漂白過程の一環として傷口保護帯に添加されるようにする。
【００２０】
図１を参照すると、典型的な漂白過程は、未仕上げの未漂白生地のビーム１２が挿入された漂白槽（キヤー）１０を使用することを含む。漂白槽１０は、当該技術分野にて周知であるように、ステンレス鋼にて製造することができる。漂白槽１０は、その内部に配置された材料を処理するため内部にて流体を循環させることを許容する加圧容器である。
【００２１】
未漂白生地の布地は有孔の中空のドラム１４に巻いて、材料ビーム１２となるようにする。中空のドラム１４の構造は、その内容を参考として引用し本明細書に含めた、ウィルコックス（Ｗｉｌｃｏｘ）に対する米国特許第３，５９６，４８１号に開示されたように、当該技術分野にて周知である。更に、漂白前、約４３１ｋｇ（約９５０ｌｂｓ）の布地重量の典型的なビームは、幅約１２２ｃｍ（約４フィート）であり、約９１ｃｍ（約３フィート）の半径を有し、また、長さ３６５．７６ｍ（約４０，０００線形ヤード）である。好ましくは、２つの布地ビームを容器内で積重ね、漂白前重量が約８６２ｋｇ（約１９００ｌｂｓ）であるようにする。しかし、漂白槽の寸法に依存して、好みに応じて任意の数の布地ビームを作成することが可能であることを理解すべきである。
【００２２】
巻いた未漂白生地の布地ビーム１２を走行クレーンを介して漂白槽１０内に挿入し、流体の入口管２０が中空のドラム１４に対して配置され且つ着座するようにし、流体を中空のドラム１４の内面に向け且つ当該技術分野にて周知の仕方にて巻かれた未漂白生地の布地ビーム１２を通じて半径方向外方に流すようにする。本発明は、漂白槽１０当たり１つの有孔ドラム１４のみを使用するものとして説明するが、ジョーンズ（Ｊｏｎｅｓ）に対する米国特許第４，０３２，２９２号に開示されたように、漂白槽漂白システムは、１つの漂白槽内に多数のビームを使用することを理解すべきである。
【００２３】
流体の入口管２０は、漂白サイクル中、解放すべき漂白溶液を保持する保持タンク２２に接続されている。熱交換器２４が保持タンク２２と流体の入口管２０との間に接続されており、漂白溶液が漂白槽１０に入る前にその漂白溶液を加熱する。漂白溶液を加熱することは、布地を漂白する速度を増すことになる。
【００２４】
漂白溶液を漂白槽１０に加えるため、弁２５、２６を開き、これにより真水供給源２７からの水は保持タンク２２から主要弁２８に向けて漂白流体を洗い流す。次に、漂白流体がエダクタ３０まで流れるのを許容すべく主要弁２８を開ける。エダクタ弁３２を開けたならば、真水が漂白流体を保持タンク２２から循環サイクル３３内に洗い流す。
【００２５】
ポンプ３４により漂白流体は熱交換器２４及び流体の入口管２０を通って加圧された漂白槽１０内に圧送される。ポンプ３４は、また、漂白サイクル中、漂白溶液を再循環させる機能も果たす。このシステムの廃水は、流体の出口管４０を通じて解放され且つポンプ４４を介して工場の廃水システムに圧送される。この漂白過程は、業界にて標準的であり且つ当該技術分野にて周知である。
【００２６】
漂白工程が完了したならば、形成された布地の重量は、約８６２ｋｇ（約１９００ｌｂｓ）から約７６７ｋｇ（約１６９０ｌｂｓ）に減少する。このとき、弁５０、弁２５を開くことにより、ＰＨＭＢを漂白槽１０に添加することができ、これにより真水供給源２７からの水がＰＨＭＢを保持タンク５２から洗い流す。次に、主要弁２８を開いてＰＨＭＢがエダクタ３０まで流れるのを許容する。エダクタ弁３２を開けたならば、真水がＰＨＭＢを保持タンク５２から循環サイクル３３内に洗い流す。ポンプ３４によって、ＰＨＭＢは熱交換器２４及び流体の入口管２０を通って圧送され加圧漂白槽１０に入る。
【００２７】
化学薬剤の添加及び弁の操作は、全てシステムに接続されたコンピュータによって制御することができる。コンピュータの制御装置は、漂白槽の処理パラメータを制御し、また、現在のサイクルを表示するダイアグラムをスクリーンに含むことができる。
【００２８】
漂白サイクルにて多数の化学薬剤を使用することができるが、過酸化水素は布地を漂白する作用を果たす活性な化学薬剤である。過酸化水素はＰＨＭＢを中和する傾向を有する。このため、ＰＨＭＢを添加する前に、化学的リンス及び洗浄水サイクルを行う必要がある。
【００２９】
次に、漂白槽１０を真水供給源５４からの環境の清浄水にて充填する必要がある。漂白槽１０が水にて充填されたならば、次に、エダクタ弁３２、弁２５、５０、２８を開くことによりＰＨＭＢを保持タンク５２から解放し、これにより真水は保持タンク５２からＰＨＭＢを洗い流す。再循環ポンプ３４によって漂白槽１０の全体を通ってＰＨＭＢを循環させる。
【００３０】
これと代替的に、ＰＨＭＢは、漂白槽１０に受け入れられるときの樽から直接圧送するか又は当該技術分野にて既知の任意のその他の方法にて圧送してもよい。好ましくは、ＰＨＭＢは漂白槽１０に添加し、導入されたＰＨＭＢの量が０．１０％乃至０．８０％の範囲の濃度となるように、好ましくは、漂白槽１０内で０．６７％の濃度となるように測定する。
【００３１】
ＰＨＭＢは、完全に混合させ（これは、５分以内に行う必要がある）、ＰＨＭＢは好ましくは１５乃至４５分間、より好ましくは約３０分間循環させる。更に、接触時間は漂白槽の寸法、布地の寸法及びポンプの容量に依存してより長くすることができる。しかし、混合時間が４５分以上に延ばした場合、保護帯におけるＰＨＭＢの量は人間の組織に悪影響を与える可能性があることを理解すべきである。漂白槽１０の全体を通じて循環されるＰＨＭＢの温度は、４．４℃（４０°Ｆ）乃至６０℃（１４０°Ｆ）の範囲とし、好ましくは、約２６．７℃（約８０°Ｆ）とすべきである。ＰＨＭＢサイクル中の漂白槽の圧力は５乃至４０の範囲、好ましくは約２０とする。化学的循環が完了したならば、次に、漂白槽の廃水をポンプ４４を介して工場の廃水システムに排出する。
【００３２】
漂白され且つ抗菌処理された湿潤な布地ビーム１２を漂白槽１０から除去する。処理済の布地は、多数のビームを同時に処理するレンジステーションに運ぶ。該レンジステーションは布地を巻き戻し、折り重ね、皺を付け且つ乾燥させ、その布地を搬送体に供給する。次に、最終製品の各形態にするため、連続的な量の布地を保持する搬送体を、切断、折畳み及び包装機械まで進める。
【００３３】
セルロース系包帯は、少なくとも５０％セルロース系であることが好ましく、また、１００％セルロース系であることが最も好ましい。セルロースの比率が高ければ高いほど、保護帯とＰＨＭＢとの間の化学的接合はより効果的となる。製品の最終形態は、スポンジ、ロール包帯、島包帯（ｉｓｌａｎｄ　ｄｒｅｓｓｉｎｇｓ）及び傷口接着剤ストリップ等のような当該技術分野にて既知のその他の傷口保護帯を含むことができる。ガーゼロール包帯は、典型的に、６プライを含み、約１１．４３ｃｍ（約４．５インチ）×３．７４９ｍ（４．１ヤード）である。ガーゼスポンジは対角線に沿って約１５．２４ｃｍ（約６インチ）×１７．１５ｃｍ（６．７５インチ）とすることができる。製造したセルロース系の傷口保護帯は、主として人間に対するＰＨＭＢの通常の反応を防止するための接合防止剤又は中間層のような追加的な成分を必要とせずに、抗菌効果可能な量のＰＨＭＢから成っている。しかし、好みに相応して、その他の添加剤をセルロース系包帯に添加することは可能であることを理解すべきである。
【００３４】
本発明に従って使用される漂白槽システムは、ノースカロライナ州、スタンレイに所在するガストン・カウンティ・ダイング・マシン・カンパニー（Ｇａｓｔｏｎ　Ｃｏｕｎｔｙ　Ｄｙｅｉｎｇ　Ｍａｃｈｉｎｅ　Ｃｏｍｐａｎｙ）という会社が製造するものとすることができる。
【００３５】
開放性傷口を覆うべくセルロース系包帯上にＰＨＭＢを使用することは、保護帯中の細菌の成長を遅らせ、しかも、細菌が保護帯を通って転位するのを遅らせるという利点もある。ＰＨＭＢは広範囲の薬剤であるが、ＰＨＭＢは急性及び慢性の傷口を汚染する微生物に対して特に効果的である。ＰＨＭＢは、黄色ブドウ球菌及びシュードモナス属の緑膿菌を含む、多くの型式の細菌に対して特に効果的である。更に、ＰＨＭＢは単独で且つ別の成分無しで使用し、患者の皮膚に炎症を生じさせず、より重要なことは、炎症を生じさせず且つ患者の開放性傷口の感染を防止して細菌を効果的に死滅させることができる。
【００３６】
以下の実施例は、布地に含まれる化学物質の量を計算した方法を示すものである。本発明は特許請求の範囲により規定され、この実施例の特定の詳細により規定されるものでないことが理解される。
【００３７】
【実施例】
未漂白生地の布地ビームを漂白槽内に配置し、その後に漂白させた。漂白が完了したならば、布地ビームを処理すべくＰＨＭＢを漂白槽に添加した。未漂白生地の布地を処理すべく使用したＰＨＭＢは、２０％活性として販売されるもので、アベシア・インコーポレーテッドから購入したものである。添加した化学薬剤の量を測定した結果、漂白槽（ＰＨＭＢ１８．９３リットル（５ガロン）／水２８１２．５６リットル（７４３ガロン））内で０．６７％の濃度であった。化学薬剤は３０分間、循環させた。
【００３８】
布地に付着された化学物質の量（グラムＰＨＭＢ／グラム布地）を確認するため抽出を行った。抽出は、５６℃の温度にて一昼夜、布地を４％の食塩水又は１Ｍ酢酸に浸漬させることで行った。形成された溶液中のＰＨＭＢは、紫外線分光写真測定法すなわちＨＰＬＣを介して特定した。得られたピーク値を標準的な希釈曲線に対してプロットすることでこの値を定量化した。ＰＨＭＢの装填量を計算した結果、１５００乃至２５００ｐｐｍの範囲であった。
【００３９】
本発明は特定の好ましい実施の形態に関して説明したが、特許請求の範囲に記載した本発明の範囲から逸脱せずに、当該技術分野の当業者はその改変例及び変更例を具体化可能であることが明らかである。
【図面の簡単な説明】
【図１】
本発明による製造過程の概略図である。
【国際公開パンフレット】
2004502707.tif 000003
2004502707.tif 000004
2004502707.tif 000005
2004502707.tif 000006
2004502707.tif 000007
2004502707.tif 000008
2004502707.tif 000009
2004502707.tif 000010
2004502707.tif 000011
2004502707.tif 000012
2004502707.tif 000013
2004502707.tif 000014
2004502707.tif 000015
2004502707.tif 000016
【国際調査報告】
2004502707.tif 000017